(57)【要約】【課題】一つの空間部だけに給気する場合であっても、当該空間部に外気を新鮮な状態で給気できる換気システムを得る。【解決手段】全館換気システムは、複数の個別空間部１１〜１３及び通路空間部１４を有する建物１０に設置されている。全館換気システムは通路空間部１４を給気対象とする主換気装置２１と、第１居室１１を給気対象とする局所給排ユニット２２とを備えている。両者は送気ダクト３３によって連結されている。主換気装置２１の給気ユニット３０により、第１居室１１を除く各空間部１２〜１４に第１領域Ａの外気が給気される。また、第１居室１１では、局所給排ユニット２２により、第２領域Ｂの外気が給気されるとともに、送気ダクト３３を通じて第１領域Ａの外気も導入される。【選択図】図１
2009192199.tif 000002
【特許請求の範囲】
【請求項１】
複数の屋内空間部を有する建物に設置された換気システムであって、
それぞれ異なる空間部を給気対象とし、外気を導入してその外気を、給気対象となる空間部に直接給気する複数の給気ユニットと、
それら各給気ユニット間を連結する連結ダクトと、
を備えたことを特徴とする換気システム。
【請求項２】
前記複数の給気ユニットはそれぞれ、当該給気ユニットに導入された外気を前記連結ダクトに送り出す外気送出手段を備えている請求項１に記載の換気システム。
【請求項３】
前記複数の給気ユニットはそれぞれ、
前記連結ダクトと給気ユニットのダクト接続口との連通状態又は非連通状態とを切り替える第１切替手段と、
導入ダクトと給気ユニットのダクト接続口との連通状態又は非連通状態とを切り替える第２切替手段と、
を備えている請求項２に記載の換気システム。
【請求項４】
前記各給気ユニットに導入される外気の空気質を、給気ユニットごと個別に検出する屋外空気質検出手段と、
前記屋外空気質検出手段の検出結果に基づき前記第１及び第２の少なくともいずれかの切替手段を制御する給気制御手段と、
を備えた請求項３に記載の換気システム。
【請求項５】
前記複数の給気ユニットのうち一の給気ユニットを主給気ユニットとし、当該主給気ユニットに対して他の給気ユニットがそれぞれ連結ダクトを介して接続されている請求項１乃至４のいずれか１項に記載の換気システム。
【請求項６】
前記主給気ユニットは建物内の複数の空間部に外気を給気する給気ユニットであり、当該主給気ユニットと、複数の空間部から内気を吸い込んで屋外に排気する主排気ユニットとで主換気装置が構成され、
前記他の給気ユニットは個別の空間部に外気を給気する局所給気ユニットであり、当該局所給気ユニットには、回転方向の反転により外気給気と内気排気とを選択的に実行するファン装置が設けられている請求項５に記載の換気システム。
【請求項７】
前記局所給気ユニットには給気対象となる空間部の内気を循環して清浄化する空気清浄機能が設けられている請求項６に記載の換気システム。
【請求項８】
前記局所給気ユニットは、給気対象となる空間部の内気を吸い込んで前記連結ダクトに送り出す内気送出手段を備えた請求項６又は７に記載の換気システム。
【請求項９】
前記局所給気ユニットが複数設けられるとともに、
前記各局所給気ユニットの給気対象となる空間部にそれぞれ設けられた人検出手段と、
前記人検出手段の検出結果に基づいて前記各局所給気ユニットの前記内気送出手段をそれぞれ制御する内気送出制御手段と、
を備えた請求項８に記載の換気システム。
【請求項１０】
請求項１乃至９のいずれか１項に記載の換気システムを備え、前記各給気ユニットが天井裏空間又は床下空間等の居住空間から区画されたスペースに設けられていることを特徴とする建物。
【発明の詳細な説明】
【技術分野】
【０００１】
本発明は、換気システム及びそれを備えた建物に関する。
【背景技術】
【０００２】
一般に、住宅等の建物において、居室等の空間部の換気を行う換気システムが知られている。この換気システムにより、空間部に外気が導入されるのと同時に内気が排気され、空間部内の空気が入れ換えられる。
【０００３】
このような換気システムとして、扉体のアンダーカット等により空気流通可能となっている複数の居室ごとに換気ユニットが設けられ、それら各換気ユニットを居室内における人の在・不在状況に基づいて制御するものがある（例えば、特許文献１参照）。この換気システムでは、一つの居室にだけ人が在室する場合、他の居室に導入された外気がアンダーカット等を通じてその居室に給気されるようになっている。
【特許文献１】特開２００６−１０５４７３号公報
【発明の開示】
【発明が解決しようとする課題】
【０００４】
しかしながら、上記従来技術では、他の居室や廊下等を経由する間に屋内の埃や臭いを取り込んだり、湿気を吸ったりして、外気の空気質（温度、湿度、埃や臭気等を含むことによる汚れ度等）が導入当初よりも悪化してしまう。このため、上記従来技術のように、間接的な給気では新鮮な外気を給気できないという問題がある。
【０００５】
そこで、本発明は、一つの空間部だけに給気する場合であっても、当該空間部に外気を新鮮な状態で給気できる換気システム及びそれを備えた建物を提供することを主たる目的とする。
【課題を解決するための手段】
【０００６】
本発明は、上記課題を解決するために、以下の手段を採用した。
【０００７】
すなわち、第１の発明では、複数の屋内空間部を有する建物に設置された換気システムであって、それぞれ異なる空間部を給気対象とし、外気を導入してその外気を、給気対象となる空間部に直接給気する複数の給気ユニットと、それら各給気ユニット間を連結する連結ダクトと、を備えた。
【０００８】
この第１の発明によれば、各給気ユニットによりその給気対象である空間部に対して外気が直接給気されるため、仮に一つの空間部だけに給気する場合であっても外気を新鮮なままの状態で給気することができる。すなわち、従来技術のように、いったん他の空間部に導入された外気が扉体のアンダーカット、他の空間部等を経由して間接的に給気されることがない。
【０００９】
それに加えて、給気ユニット間が連結ダクトによって連結されているため、その連結ダクトを通じて空気のやりとりが可能となる。例えば、給気対象である空間部に給気する外気を別の給気ユニットに供給したり、給気対象である空間部の内気を別の給気ユニットに供給したりすることが可能となる。これにより、空気環境改善のための内容を充実させて、より快適な空気環境作りに貢献できる。
【００１０】
第２の発明では、前記複数の給気ユニットはそれぞれ、当該給気ユニットに導入された外気を前記連結ダクトに送り出す外気送出手段を備えている。
【００１１】
この第２の発明によれば、外気送出手段により連結ダクトに送り出された外気は、その連結ダクトを通じて別の給気ユニットに送られる。これにより、その別の給気ユニットでは二以上の系統から外気が導入されることとになり、給気ユニットの給気能力を向上させることができる。
【００１２】
第３の発明では、前記複数の給気ユニットはそれぞれ、前記連結ダクトと給気ユニットのダクト接続口との連通状態又は非連通状態とを切り替える第１切替手段と、導入ダクトと給気ユニットのダクト接続口との連通状態又は非連通状態とを切り替える第２切替手段と、を備えている。
【００１３】
この第３の発明によれば、第１又は第２切替手段によって一方のダクトとダクト接続口とを非連通状態とすることにより、屋外から直接給気ユニットに導入される外気と、他の給気ユニットを介して導入される外気を選択的に給気することが可能となる。このため、各給気ユニットに異なる屋外領域から外気が導入されるようにすれば、空気質（温度、湿度、埃や臭気等を含むことによる汚れ度等）の相違を判断基準として、より好ましい外気を選択して給気することができる。
【００１４】
第４の発明では、前記各給気ユニットに導入される外気の空気質を、給気ユニットごと個別に検出する屋外空気質検出手段と、前記屋外空気質検出手段の検出結果に基づき前記第１及び第２の少なくともいずれかの切替手段を制御する給気制御手段と、を備えた。
【００１５】
この第４の発明によれば、屋外空気質検出手段により、導入ダクトを通じて各給気ユニットに導入される外気の空気質がそれぞれ個別に検出される。このため、給気制御手段は給気ユニットに直接導入される外気と、他の給気ユニット及び連結ダクトを通じて導入される外気とのいずれの空気質がより好ましい状態であるかを判断できる。その判断に基づいて切替手段が制御されることにより、より好ましい空気質の外気を給気することができる。なお、空気質がより好ましい状態とは、例えば、汚れ度が少ないとか、季節に応じた温度・湿度条件（夏期に温度が低い、冬季に湿度が高い等）を有する場合等をいう。
【００１６】
第５の発明では、前記複数の給気ユニットのうち一の給気ユニットを主給気ユニットとし、当該主給気ユニットに対して他の給気ユニットがそれぞれ連結ダクトを介して接続されている。
【００１７】
この第５の発明によれば、主給気ユニットに対して他の給気ユニットがそれぞれ連結ダクトを介して接続されているため、連結ダクトの一端を主給気ユニットに集中させることができ、連結ダクトの取り回し構成を簡素化できる。
【００１８】
第６の発明では、前記主給気ユニットは建物内の複数の空間部に外気を給気する給気ユニットであり、当該主給気ユニットと、複数の空間部から内気を吸い込んで屋外に排気する主排気ユニットとで主換気装置が構成され、前記他の給気ユニットは個別の空間部に外気を給気する局所給気ユニットであり、当該局所給気ユニットには、回転方向の反転により外気給気と内気排気とを選択的に実行するファン装置が設けられている。
【００１９】
この第６の発明において、主排気ユニットにより排気を行う場合、主排気ユニットの吸込口まで内気が集められた後に排気される。このため、その吸込口から離れたところにある空間部の内気を排気しようとしても、その内気を直ちに排気することができない。この点、この第６の発明では、局所給気ユニットのファン装置を反転させると空間部の局所排気が可能となるため、前述した主排気ユニットによって排気を実行する場合の問題点を解消できる。なお、局所給気ユニットは、トイレ、キッチン等の臭気発生源となる空間部や、浴室等の湿度が比較的高い空間部に対して設けられることが好ましい。
【００２０】
また、この第６の発明では、局所給気ユニットによって外気を給気しなくても前記主給気ユニット側から空間部へ外気が給気されるため、局所給気ユニットのファン装置を反転させて局所排気のためだけに利用できる。これにより、局所排気能力を向上させることができる。
【００２１】
第７の発明では、前記局所給気ユニットには給気対象となる空間部の内気を循環して清浄化する空気清浄機能が設けられている。
【００２２】
この第７の発明によれば、必要に応じ、個別排気に代えて内気の清浄化（埃、花粉、臭気等の除去）を実行することができる。
【００２３】
第８の発明では、前記局所給気ユニットは、給気対象となる空間部の内気を吸い込んで前記連結ダクトに送り出す内気送出手段を備えた。
【００２４】
この第８の発明によれば、内気送出手段により、内気は連結ダクトを通じて主給気ユニットや他の局所給気ユニットに送られ、その内気が送られた給気ユニットの給気対象となる空間部に供給される。これにより、快適な状態に保持されている内気を別の空間部に送り、その送り先となった空間部の空気環境を改善できる。
【００２５】
第９の発明では、前記局所給気ユニットが複数設けられるとともに、前記各局所給気ユニットの給気対象となる空間部にそれぞれ設けられた人検出手段と、前記人検出手段の検出結果に基づいて前記各局所給気ユニットの前記内気送出手段をそれぞれ制御する内気送出制御手段と、を備えた。
【００２６】
この第９の発明によれば、すでに人が存在するために快適な空気環境となっている空間部の空気を、連結ダクト及び主給気ユニットを通じて、新たに人が存在することになった空間部に自動的に送ることが可能となる。これにより、当該空間部の空気環境を早期に改善することができる。
【００２７】
第１０の発明は、上記いずれかに記載の換気システムを備え、前記各給気ユニットが天井裏空間又は床下空間等の居住空間から区画されたスペースに設けられている建物である。これにより、換気に優れた建物が得られる。
【発明を実施するための最良の形態】
【００２８】
以下に、一実施の形態について図面を参照しつつ説明する。本実施の形態では、建物の屋内全体を換気する全館換気システムを換気システムの例として説明する。
【００２９】
まず、全館換気システムの構成を図１乃至図３に基づいて説明する。なお、図１は全館換気システムが設けられた建物の見取り図であり、図２はその図１における局所給排ユニットの拡大図である。また、図３は全館換気システムの電気的構成を示すブロック図である。説明の順序として、まず建物の構成を簡単に説明した後、全館換気システムの詳細を説明することにする。
【００３０】
図１に示されているように、建物１０はその屋内が壁等の仕切り部により複数に区画され、それにより複数の空間部１１〜１４が設けられている。空間部１１〜１４は、その使われ方によって個別空間部１１〜１３と通路空間部１４とに分けられている。前者の個別空間部１１〜１３はその個別空間部１１〜１３内で仕事や日常生活上の各種行為が行われることを想定した空間部であり、住宅を建物の例とすれば、居間、キッチン、和室及び洋室等の居室や、納戸、トイレ、浴室等がこれにあたる。一方、後者の通路空間部１４は個別空間部１１〜１３間を行き来する際に利用される空間部であり、住宅を建物の例とすれば、階段が設けられる空間、廊下等がこれにあたる。
【００３１】
次に、全館換気システムは、主換気装置２１と局所給排ユニット２２とを備えている。まず、主換気装置２１について説明すると、それは前記通路空間部１４に設けられている。この場合、具体的には通路空間部１４の天井裏空間、床下空間、機械室等の居住空間と区画された設置スペース（図示略）に設けられる。
【００３２】
主換気装置２１は主給気ユニット３０と主排気ユニット４０とからなる。主給気ユニット３０は給気本体３１を備え、その給気本体３１には複数のダクト３２，３３の一端が接続されている。給気本体３１には、外気送出手段としての給気ファン３４と、その給気ファン３４を駆動するモータ等の駆動装置（図示略）が設けられている。また、ダクト３２，３３は導入ダクト３２及び送気ダクト３３からなる。導入ダクト３２はその他端が屋外に向けて開口しており、送気ダクト３３はその他端が各個別空間部１１〜１３に設けられた給気口３５に接続されている。
【００３３】
このため、給気ファン３４の回転駆動により、導入ダクト３２が屋外側に開口する領域Ａ（以下、第１領域Ａとする。）の外気が導入ダクト３２を通じて給気本体３１に導入される。それとともに、その外気は送気ダクト３３を通じて各空間部１１〜１４の給気口３５に送られ、各空間部１１〜１４に給気される。なお、給気本体３１にはフィルタ３６が設けられており、屋外から導入された外気はこのフィルタ３６を通過することで埃、花粉、臭気等が除去され、清浄化された後、送気ダクト３３に送られるようになっている。
【００３４】
一方、主排気ユニット４０は排気本体４１を備え、排気本体４１には排気ダクト４２の一端が接続されている。排気本体４１には通路空間部１４を形成する内面に設けられる主吸込口４４、排気ファン４３、排気ファンを駆動するモータ等の駆動装置（図示略）が設けられている。また、排気ダクト４２の他端は、屋外に向けて開口している。このため、排気ファン４３の回転駆動により、主吸込口４４から内気が吸い込まれるとともに、その吸い込まれた内気は排気ダクト４２を通じて屋外に排気される。この場合、主吸込口４４に吸引力が作用すると、通路空間部１４と個別空間部１１〜１４との間の空気流通部１５（扉体のアンダーカット等）を通じて各個別空間部１１〜１３の内気が通路空間部１４に集められる。そのため、建物１０の屋内全体の内気が主吸込口４４に吸い込まれた後、屋外へ排気される（掃気）。
【００３５】
このように主給気ユニット３０の動作により各空間部１１〜１４の給気口３５から第１領域Ａの外気が給気されるとともに、主排気ユニット４０の動作により各空間部１１〜１４の内気が排気される。これによって、建物１０の屋内全体が換気される。
【００３６】
次に、局所給排ユニット２２について説明する。この局所給排ユニット２２はその給気対象となる空間部との関係で局所的に外気を給気する機能と内気を排気する機能を有している。このため、この局所給排ユニット２２は給気ユニットであり、また局所給気ユニットでもある。
【００３７】
この局所給排ユニット２２は各個別空間部１１〜１３のうち一の個別空間部１１に設けられている。この場合、具体的には天井裏空間、床下空間、機械室等の居住空間と区画された設置スペース（図示略）に設けられる。局所給排ユニット２２が給気対象とする個別空間部１１は、例えば居室、トイレ、浴室等のように人の活動によって比較的空気質が低下し易いところである。なお、空気質とは、例えば埃や臭気等の含有による汚れ度、温度、湿度等を総称するものである。以下、便宜的に第１居室１１が給気対象であるとして説明する。
【００３８】
局所給排ユニット２２は、給排本体５１を備えている。給排本体５１には前記送気ダクト３３の他端が接続され、主給気ユニット３０から送られる外気が導入されるようになっている。そして、第１居室１１では、給排本体５１が前記給気口３５と接続ダクト５３を介して接続されている。このため、送気ダクト３３から給排本体５１に導入された外気はその本体５１内の流路を通過した後、給気口３５から給気される。なお、主給気ユニット３０と局所給排ユニット２２とは送気ダクト３３によって連結されているため、その送気ダクト３３が連結ダクトとなっている。
【００３９】
給排本体５１は第１居室１１の内面に設けられる局所吸込口５４を有するとともに、一端が屋外に開口する給排ダクト５２の他端が接続されている。また、給排本体５１には正逆回転可能なファン装置としての局所ファン５５と、局所ファン５５を駆動させるモータ等の駆動装置（図示略）とが設けられている。そして、局所ファン５５を正回転させると、局所吸込口５４から第１居室１１内の空気が給排本体５１内に取り込まれる。それとともに、給排ダクト５２が屋外側に開口する領域Ｂ（以下、第２領域Ｂとする。）の外気も給排ダクト５２を通じて給排本体５１内に取り込まれる。給排本体５１内にはフィルタ５６が設けられており、その取り込まれた内気と外気はそのフィルタ５６を通過することで花粉、埃、臭気等が除去された後、給気口３５に送られるようになっている。一方、局所ファン５５を逆回転させると、局所吸込口５４から取り込まれた第１居室１１の内気が給排ダクト５２に送られ、その内気は給排ダクト５２を通じて屋外に排気される。
【００４０】
このように第１居室１１では、局所給排ユニット２２により、その局所ファン５５を正回転させれば第２領域Ｂの外気が給気されるとともに内気の循環が行われ、局所ファン５５を逆回転させれば内気が屋外に排気される。
【００４１】
もっとも、局所給排ユニット２２においては、送気ダクト３３とのダクト接続口に、流路を開閉する第１切替手段としての第１開閉弁５７が設けられている。また、給排ダクト５２とのダクト接続口に、流路を開閉する第２切替手段としての第２開閉弁５８が設けられている。このため、両開閉弁５７，５８の開閉と前述した局所ファン５５の正逆回転を組み合わせることにより、局所給排ユニット２２では次のような操作が可能となる。
【００４２】
図２の各図に示されているように、第１開閉弁５７が開状態となっていれば、送気ダクト３３とダクト接続口とが連通状態となり、送気ダクト３３を通じて第１領域Ａの外気が給気口３５から継続して給気される。一方、第１開閉弁５７を閉状態とすれば、送気ダクト３３とダクト接続口とが非連通状態となりその外気給気は停止される。
【００４３】
また、第２開閉弁５８を閉状態とすれば、給排ダクト５２とダクト接続口とが非連通状態となる。その状態で局所ファン５５を正回転させると、図２（ａ）に示されているように、内気の循環が行われる。一方、第２開閉弁５８を開状態とすれば、給排ダクト５２とダクト接続口とが連通状態となる。その状態で局所ファン５５を正回転させると、図２（ｂ）に示されているように、内気の循環が行われるとともに、給排ダクト５２を通じて第２領域Ｂの外気が導入される。また、第２開閉弁５８を開状態として局所ファン５５を逆回転させると、図２（ｃ）に示されているように、第１居室１１の内気が給排ダクト５２を通じて屋外に排気される。なおこの場合、詳細な説明は省略するものの、吸い込まれた内気の流路と送気ダクト３３を通じて導入される外気の流路とが分けられ、両者が相互に影響し合わないようになっている。
【００４４】
次に、この全館換気システムの電気的構成として、図３に示されているように、システム全体の制御を司るメインコントローラ６１を備えている。本実施の形態では、このメインコントローラ６１が給気制御手段となっている。メインコントローラ６１は周知の演算装置からなり、例えば後述の集中操作装置６３とともに通路空間部１４の壁面に設けられている。メインコントローラ６１にはメモリ６２が設けられている。そのメモリ６２には制御プログラムや暦（季節）等の各種情報が予め記憶されているとともに、後述するセンサ類からメインコントローラ６１に入力される各種情報が一時的に記憶されるようになっている。
【００４５】
メインコントローラ６１の入力側には、建物利用者によって適宜操作される集中操作装置６３が接続されている。集中操作装置６３には各種制御ボタンが設けられており、メインコントローラ６１はその各種制御ボタンからの入力情報に基づいて全館換気システムの制御を実行する。制御ボタンには、例えば、全館換気システムのオン・オフを切り替える運転ボタン、所定時間経過によりオン又はオフされるように設定するタイマーボタン等がある。
【００４６】
また、メインコントローラ６１の入力側には、第１屋外センサ６４、第２屋外センサ６５及び屋内センサ６６がそれぞれ接続され、この各種センサ６４〜６６による検出情報が逐次入力されるようになっている。屋外空気質検出手段としての第１及び第２屋外センサ６４，６５はいずれも風量、風向、雨等の天候状況を検出するセンサ、空気質を検出するセンサ、騒音センサ等の屋外の空気の状態を検出する各種センサからなる。そして、第１屋外センサ６４は導入ダクト３２の開口周辺に設けられており、メインコントローラ６１は第１領域Ａにおける空気の状態を把握できる。また、第２屋外センサ６５は給排ダクト５２の開口周辺に設けられており、メインコントローラ６１は第２領域Ｂにおける空気の状態を把握できる。一方、屋内センサ６６は空気質を検出するセンサであり、局所給排ユニット２２が給気対象とする第１居室１１内に設けられている。メインコントローラ６１は、この屋内センサ６６により第１居室１１における空気質の状態を把握できる。
【００４７】
一方、メインコントローラ６１の出力側は主換気装置２１の給気ファン３４及び排気ファン４３と接続され、それらはメインコントローラ６１からの指令によりそれぞれ駆動制御される。また、メインコントローラ６１の出力側には局所給排ユニット２２のサブコントローラ７１が接続されている。
【００４８】
サブコントローラ７１は周知の演算装置からなり、例えば後述の個別操作装置７２とともに第１居室１１の壁面に設けられている。サブコントローラ７１には、その入力側に局所給排ユニット２２の個別操作装置７２が接続されている。個別操作装置７２にも各種制御ボタンが設けられており、サブコントローラ７１はその各種制御ボタンからの入力情報に基づいて局所給排ユニット２２の制御を実行する。制御ボタンには、給排ダクト５２を通じて第２領域Ｂの外気を給気する外気給気ボタン、給気量を調整する風量調整ボタン、第１居室１１の内気を強制的に排気する排気ボタン等がある。
【００４９】
サブコントローラ７１の出力側には局所ファン５５、第１及び第２の各開閉弁５７，５８がそれぞれ接続されている。このため、これら出力側に接続された各種装置はメインコントローラ６１からの信号に基づくサブコントローラ７１の指令によりそれぞれ駆動制御される。また、サブコントローラ７１単独の指令によってもそれぞれ駆動制御される。
【００５０】
次に、全館換気システムにおける換気制御の一例を説明する。
【００５１】
上記全館換気システムでは、集中操作装置６３の運転ボタンが建物利用者により操作されると、全館換気システムの運転が実行される。この場合、メインコントローラ６１は主換気装置２１の給気ファン３４及び排気ファン４３を回転駆動させるとともに、局所給排ユニット２２の第１開閉弁５７を開状態とする。これにより、各空間部１１〜１４では給気口３５から第１領域Ａの新鮮な外気が給気されるとともに、空気流通部１５を通じて通路空間部１４に集められた空気が主吸込口４４から吸い込まれて屋外に排気される。こうして、建物１０の屋内全体が換気される。
【００５２】
また、メインコントローラ６１は、第１居室１１内の空気質状況に応じ、局所給排ユニット２２の局所ファン５５及び第２開閉弁５８を次のように制御する。それを図４のフローチャートに基づいて説明する。なお、この処理は、メモリ６２に記憶された暦（季節）情報に基づいて夏期であると判断された場合に実行される処理の一例であり、メインコントローラ６１により所定周期で繰り返し実行される。
【００５３】
図４に示されているように、まずステップＳ１１にて、局所給排ユニット２２が外気給気運転中か否かを判定する。外気給気運転中であれば第２開閉弁５８が開状態となって局所ファン５５が正回転しているが（図２（ｂ）参照）、そうでない場合には判定を否定して次のステップＳ１２に進む。
【００５４】
そのステップＳ１２では、局所給排ユニット２２が強制排気運転中か否かを判定する。強制排気運転中であれば第２開閉弁５８が開状態となって局所ファン５５が逆回転しているが（図２（ｃ）参照）、そうでない場合には判定を否定して次のステップＳ１３に進む。
【００５５】
そのステップＳ１３では、局所給排ユニット２２によって強制排気運転を実行する条件が成立したか否かを判定する。ここでは、屋内センサ６６からの検出情報に基づき臭気の検出値が基準値以上であると判断された場合、及び第２屋外センサ６５及び屋内センサ６６からの検出情報に基づき第１居室１１の内気温が第２領域Ｂの外気温より高い場合のいずれかを満たすと条件が成立するものとされている。このため、臭気の検出値が基準値を下回る場合であって、かつ内気温が外気温以下である場合に限り、判定を否定して次のステップＳ１４に進む。
【００５６】
そのステップＳ１４では通常運転を実行する。この通常運転では、第２開閉弁５８を閉状態として局所ファン５５を正回転させる（図２（ａ）参照）。これにより、局所吸込口５４から吸い込まれた第１居室１１の内気が清浄化されて、送気ダクト３３から導入される外気とともに給気口３５から吹き出される。その後、この処理を終了する。したがって、局所給排ユニット２２では、強制排気の実行条件が成立しない限り、この通常運転（内気循環）が継続して実行されることになる。
【００５７】
一方、局所給排ユニット２２が外気給気運転中であれば、先のステップＳ１１にて判定を肯定して次のステップＳ１５に進む。このステップＳ１５では、外気給気を終了する条件が成立したか否かを判定する。ここでは、外気給気運転が開始されてから所定時間が経過した場合に条件が成立するものとされている。このため、いまだ所定時間が経過していない場合は判定を否定してこの処理を終了する。したがって、外気給気運転が実行されている場合、それは所定時間が経過するまで行われる。
【００５８】
これに対し、所定時間が経過している場合、判定を否定して次のステップＳ１６に進む。このステップＳ１６では第２開閉弁５８を閉状態に戻して外気給気運転を終了させる。その後、この処理を終了する。第２開閉弁５８が閉状態となれば、局所給排ユニット２２は通常運転状態となる。
【００５９】
また、局所給排ユニット２２が強制排気運転中であれば、先のステップＳ１２にて判定を肯定して次のステップＳ１７に進む。このステップＳ１７では、強制排気を終了する条件が成立したか否かを判定する。ここでは、臭気の検出値が基準値を下回る場合、及び内気温が外気温以下となった場合のいずれかを満たすと条件が成立するものとされている。このため、依然として臭気の検出値が基準値以上である場合、又は内気温が外気温より高い場合には判定を否定してこの処理を終了する。したがって、強制排気運転が実行されている場合、終了条件成立まで強制排気運転が継続して実行される。
【００６０】
これに対し、強制排気によって第１居室１１の臭気の検出値が基準値を下回り、かつ内気温が外気温以下となった場合、判定を肯定して次のステップＳ１８に進む。このステップＳ１８では、局所給排ユニット２２の運転モードを強制排気から外気給気へ切り替える。すなわち、局所ファン５５を逆回転から正回転に切り替える（図２（ｂ）参照）。すると、第２領域Ｂの外気が第１居室１１に給気される。その後、この処理を終了する。
【００６１】
さらに、通常運転中に、臭気の発生によりその検出値が基準値以上となった場合、又は内気温の上昇によりが外気温より高くなった場合、先のステップＳ１３にて判定を肯定して次のステップＳ１９に進む。このステップＳ１９では、第２開閉弁５８を開状態として局所ファン５５を逆回転させる（図２（ｃ）参照）。これにより、第１居室１１の臭気を含んだ内気は屋外に強制排気される。その後、この処理を終了する。この場合、終了条件が成立するまで、強制排気が継続して実行される
以上の処理の他にも、メインコントローラ６１は集中操作装置６３の各種操作ボタンからの入力情報、第１及び第２屋外センサ６４，６５、屋内センサ６６からの入力情報に基づいて、例えば次のような制御を実行する。
【００６２】
タイマーボタンが操作された場合には、設定された時間が経過すると主換気装置２１の給気ファン３４及び排気ファン４３の駆動を開始又は停止させる。これにより、システム全体のオン又はオフが時間によって制御される。この場合、いったんシステム全体がオフされた後、所定時間が経過すると再びオンされるようにし、全館換気システムが定期的に運転されるようにしてもよい。例えば、冬期において外気温が特に低い場合には、外気を給気することにより屋内の温度が低下してしまうが、その一方で定期的な換気も必要である。したがって、このような場合に好適となる。
【００６３】
自動制御の他例として、両屋外センサ６４，６５からの検出情報に基づき第１領域Ａの外気の空気質と第２領域Ｂの外気の空気質を比較し、より好ましい空気質の外気を第１居室１１に選択的に給気する。なお、空気質がより好ましい状態とは、例えば、埃や花粉、臭気等の含有量が少なくて汚れ度が小さいとか、季節に応じた温度・湿度条件（夏期に温度が低い、冬季に湿度が高い等）を有する場合等をいう。この場合、メインコントローラ６１が仮に第２領域Ｂの外気の方がより好ましいと判断した場合、第１開閉弁５７を閉状態、第２開閉弁５８を開状態として局所ファン５５を正回転させる。これにより、第１領域Ａの外気が給気されなくなるとともに、第２領域Ｂの外気が第１居室１１に給気されることになる。
【００６４】
また、前述したメインコントローラ６１による全館換気システムの集中制御とは別に、個別操作装置７２の各種操作ボタンからの入力情報に基づいて、サブコントローラ７１は例えば次のような局所給排ユニット２２の個別制御を実行する。
【００６５】
主換気装置２１による全館換気運転が行われている状態で個別操作装置７２の外気給気ボタンが操作された場合、第２開閉弁５８を開状態とし、局所ファン５５を正回転させる（図２（ｂ）参照）。これにより、個別の手動操作によって第２領域Ｂの外気を給気させることができる。この場合、第１居室１１には二系統から外気が給気されるため、第１居室１１への外気の給気量が増大する。そして、風量調整ボタンの操作によってさらなる給気量増大が要求された場合には、第１開閉弁５７を閉状態に切り替えて、局所ファン５５の回転数を増大させる。これにより、第１居室１１には第２領域Ｂの外気が大量に給気される。なお、第１開閉弁５７を閉状態とするのは、局所ファン５５の回転数増大による空気流の変化が主換気装置２１側へ影響しないようにするためである。
【００６６】
主換気装置２１による全館換気運転が行われている状態で個別操作装置７２の排気ボタンが操作された場合、第２開閉弁５８を開状態とし、局所ファン５５を逆回転させる（図２（ｃ）参照）。これにより、個別の手動操作によって第１居室１１の内気を強制的に屋外へ排気させることができる。
【００６７】
以上の構成により、以下に示す有利な効果が得られる。
【００６８】
各空間部１１〜１４には他の空間部を介して間接的に外気が導入されるのではなく、外気が給気口３５から直接給気されるため、外気を新鮮な状態で給気できる。
【００６９】
局所給排ユニット２２が給気対象とする第１居室１１では、臭気が発生したり、夏期に内気温が上昇したりした場合など、主換気装置２１による排気とは別に個別の強制排気を必要に応じて実行することができる。この場合、臭気や熱気が主吸込口４４に吸い込まれるまで屋内を流通することはなく直ちに屋外へ排気されるため、主換気装置２１だけで全館換気システムが構成される場合に比べ、排気能力を向上させることができる。
【００７０】
主換気装置２１と局所給排ユニット２２とが送気ダクト３３によって連結されているため、給排本体５１には二系統から外気が導入される。このため、局所給排ユニット２２の給気能力を向上させることができるし、より好ましい外気を選択して給気することもできる。
【００７１】
局所給排ユニット２２によって強制排気を実施している場合でも、送気ダクト３３を通じて主換気装置２１から第１居室１１に外気が給気されるため、局所給排ユニット２２を強制排気のためだけに利用できる。これにより、局所給排ユニット２２による排気能力を向上させることができる。なお、主換気装置２１からの給気がなければ局所給排ユニット２２によって第１居室１１への給気も同時に行う必要があり、その場合には当該ユニット２２による排気能力は低下させざるを得ない。
【００７２】
局所給排ユニット２２は内気を循環して清浄化する空気清浄機能を有するため、外気の給気だけでなく内気の清浄化も併せてを実行できる。
【００７３】
なお、以上説明した実施の形態に限らず、例えば以下に別例として示した形態で実施することもできる。
【００７４】
上記実施の形態では、主換気装置２１には第１領域Ａの外気が導入されるだけであったが、局所給排ユニット２２側から第２領域Ｂの外気も導入されるようにしてもよい。その例を図５に基づいて簡単に説明する。
【００７５】
この場合、主給気ユニット３０の給気本体３１には、第１居室１１に向けた送気ダクト３３とのダクト接続口に、流路を開閉する第１切替手段としての第１開閉弁３７が設けられている。また、導入ダクト３２との接続口に、流路を開閉する第２切替手段としての第２開閉弁３８が設けられている。
【００７６】
そして、第１開閉弁３７を開状態、第２開閉弁３８を閉状態として給気ファン３４を停止させる一方、局所給排ユニット２２では局所吸込口５４を閉鎖するとともに第１開閉弁５７及び第２開閉弁５８を開状態として局所ファン５５を正回転させる。すると、第２領域Ｂの外気が給排本体５１に導入され、その外気は接続ダクト５３を通じて給気口３５から給気されるとともに、送気ダクト３３に送り出される。送気ダクト３３を通過した外気は給気本体３１に導入された後、給気本体３１内の流路を通過して第１居室１１を除く空間部１２〜１４の各給気口３５に供給される。これにより、これら各空間部１２〜１４に第２領域Ｂの外気を給気できる。この場合、局所ファン５５が外気送出手段となる。
【００７７】
なお、給気本体３１の第２開閉弁３８を開状態として給気ファン３４を駆動すれば、上記実施形態で説明したように第１領域Ａの外気を各給気口３５に吸気することができるし、第１開閉弁３７を閉状態とすれば第２領域Ｂの外気給気を停止できる。このため、主換気装置２１においても、外気の選択給気が可能となる。
【００７８】
上記実施の形態では、第１居室１１を給気対象とする局所給排ユニット２２が設けられているだけであるが、他の個別空間部１２，１３のいずれかを給気対象とする局所給排ユニット２２がさらに設けられた構成としてもよい。また、すべての個別空間部１１〜１３ごとに局所給排ユニット２２が設けられた構成としてもよい。局所給排ユニット２２が設けられると個別に外気を給気したり内気を排気したりすることが可能となるため、建物１０全体としてみて快適空間の形成に役立つ。
【００７９】
この場合の例として、図６には第２居室１２を給気対象とする局所給排ユニット２２が設けられた全館換気システムが示されている。この場合、第２居室１２に向けられた送気ダクト３３も連結ダクトとなる。
【００８０】
この全館換気システムでは、第２居室１２でも外気給気や内気排気を実行できるのはもとより、第１居室１１と第２居室との間で内気を移動させることが可能となる。その具体的構成を説明すると、図６に示されているように、主換気装置２１の主給気ユニット３０において、導入ダクト３２及び各送気ダクト３３にはそれぞれ開閉弁８１が設けられている。これらの開閉弁８１はメインコントローラ６１によって開閉制御される。また、各局所給排ユニット２２では、接続ダクト５３につながる流路を開閉する第３開閉弁５９が設けられている。この第３開閉弁５９と前記第２開閉弁５８とが閉状態で、第１開閉弁５７が開状態の場合に局所ファン５５が正回転すると、局所吸込口５４から吸い込まれた内気が送気ダクト３３に送られるようになっている。
【００８１】
この構成で、建物利用者が集中操作装置６３のボタン操作を行うことにより、メインコントローラ６１が次のような制御を実行する。
【００８２】
まず、導入ダクト３２及び送気ダクト３３の開閉弁８１については、第１居室１１及び第２居室１２に向けた送気ダクト３３の開閉弁８１のみ開状態とする。また、給気ファン３４は停止させる。一方、第１居室１１の局所給排ユニット２２では、第１開閉弁５７を開状態、第２開閉弁５８及び第３開閉弁５９を閉状態として局所ファン５５を正回転させる。また、第２居室１２の局所給排ユニット２２では、第１開閉弁５７及び第３開閉弁５９を開状態、第２開閉弁５８を閉状態とする。
【００８３】
すると、第１居室１１の内気が送気ダクト３３に送られた後、その内気は主給気ユニット３０内の流路を通過して第２居室１２に向けた送気ダクト３３に至り、第２居室１２の局所給排ユニット２２の給排本体５１に導入される。その後、接続ダクト５３を介して第２居室１２の給気口３５から排出される。すなわち、この一連の内気の流れにより、第１居室１１の内気が第２居室１２に移動する。このため、第１居室１１の内気が快適な状態に保持されている場合にそれを第２居室１２に送り、第２居室１２の空気環境を改善することができる。なおこの場合、局所ファン５５が内気送出手段となっている。
【００８４】
ちなみに、第１居室１１の局所給排ユニット２２と第２居室１２の局所給排ユニット２２とで逆の制御を実行すれば、第２居室１２の内気を第１居室１１に移動させることができる。また、第３居室１３や通路空間部１４に向けられた送気ダクト３３の開閉弁８１を開状態とすれば、給気本体３１を介してこれらの空間部１３，１４にも第１居室１１の内気を送ることができる。さらに、第３居室１３にも局所給排ユニット２２が設けられることで、各居室１１〜１３の間で内気をやり取りする範囲を広げることができる。
【００８５】
次に、図６の構成において、局所給排ユニット２２の給気対象となる第１居室１１及び第２居室１２に人検出手段としての人感センサ８２が設けられ、その人感センサ８２による人検出情報がメインコントローラ６１に入力されるように構成してもよい。すると、例えば、第１居室１１にいた人Ｈが第２居室１２に移動すると、人感センサ８２の検出情報によりメインコントローラ６１はそれを把握できる。この場合に、前述した第２居室１２に向けた内気の送り出しを自動的に実行すれば、第２居室１２の空気環境を早期に改善することができる。なおこの場合、メインコントローラ６１は内気送出制御手段となる。
【００８６】
ここで、上記実施の形態及び前述した別例の説明によれば、主換気装置２１と局所給排ユニット２２とを連結する送気ダクト３３を通じて、別々に導入した外気を他方へ送ったり、内気を移動させたりすることが両者の間でできるようになる。その結果、この全館換気システムを利用すれば、従来のように外気給気と内気排気とを組み合わせた換気だけでなく、屋内の空気環境改善のための内容を充実させることが可能となる。それにより、より快適な空気環境作りに貢献できる。
【００８７】
上記実施の形態では、全館換気システムが主換気装置２１と局所給排ユニット２２で構成されているが、空間部１１〜１４ごとに設けられた複数の局所給排ユニット２２により構成されるようにしてもよい。この場合、各局所給排ユニット２２同士が連結ダクトによって連結されることなるが、一つの局所給排ユニット２２に連結ダクトの一端が集中して接続された構成とすることが好ましい。これにより、連結ダクトの取り回し構成を簡素化できる。
【００８８】
上記実施の形態では、局所給排ユニット２２の給気対象となる第１居室１１では、その給排本体５１を介して給気口３５が設けられているが、局所給排ユニット２２とは別に給気口３５が設けられ、その給気口３５に送気ダクト３３の途中で分岐した分岐ダクトが接続されるようにしてもよい。
【００８９】
上記実施の形態では、局所給排ユニット２２において局所ファン５５の回転方向を反転させることにより外気を給気する状態と内気を排気する状態とに切り替えられているが、それぞれが別のファンによって行われるようにしてもよい。
【００９０】
上記実施の形態では、局所給排ユニット２２は内気循環による空気清浄機能を有しているが、それを省略してもよい。この場合、主換気装置２１の主給気ユニット３０にはフィルタ３６が設けられている以上、第１居室１１において給気口３５から給気される外気はすでに清浄化されているし、強制排気の実施によって空気質の悪い内気を排気することも可能である。
【００９１】
上記実施の形態において、主換気装置２１の主給気ユニット３０から給気口３５に至る流路の途中や、給排ダクト５２から給気口３５に至る流路の途中に加湿装置や芳香装置が設けられた構成としてもよい。これにより、外気を給気する場合において、空気環境をより一層改善することができる。
【図面の簡単な説明】
【００９２】
【図１】全館換気システムが設けられた建物の概略的な見取り図。
【図２】局所給排ユニットの拡大図。
【図３】全館換気システムの電気的構成を示すブロック図。
【図４】局所給排ユニットの制御処理の一例を示すフローチャート。
【図５】全館換気システムの別例を示す建物見取り図。
【図６】全館換気システムの別例を示す建物見取り図。
【符号の説明】
【００９３】
１１…第１居室（空間部）、１２…第２居室（空間部）、１３…第３居室（空間部）、１４…通路空間部、２０…全館換気システム（換気システム）、２１…主換気装置、２２…局所給排ユニット（給気ユニット、局所給気ユニット）、３０…主給気ユニット、３２…導入ダクト、３３…送気ダクト（連結ダクト）、３４…給気ファン（外気送出手段、ファン装置）、３７…第１開閉弁（第１切替手段）、３８…第２開閉弁（第２切替手段）、４０…主排気ユニット、５２…給排ダクト（導入ダクト）、５５…局所ファン（外気送出手段、内気送出手段）、５７…第１開閉弁（第１切替手段）、３８…第２開閉弁（第２切替手段）、６１…メインコントローラ（給気制御手段、内気送出制御手段）、６４，６５…屋外センサ（屋外空気質検出手段）、８２…人感センサ（人検出手段）。
【図１】
2009192199.tif 000003
【図２】
2009192199.tif 000004
【図３】
2009192199.tif 000005
【図４】
2009192199.tif 000006
【図５】
2009192199.tif 000007
【図６】
2009192199.tif 000008